(57)【特許請求の範囲】
【請求項１】
表示手段を備えた映像信号記録再生装置において、
前記表示手段に表示される画像の表示処理をする画像処理手段を備え、
前記画像処理手段は、被写体像の表示画面を通常サイズの画面よりも縮小サイズの画面で表示するときには、当該映像信号記録再生装置の設定を確認するための表示部を、当該縮小サイズの被写体像の表示画面の外側に表示する
ことを特徴とする映像信号記録再生装置。
【請求項２】
表示手段を備えた映像信号記録再生装置において、
前記表示手段に表示される画像の表示処理をする画像処理手段を備え、
前記画像処理手段は、当該映像信号記録再生装置の設定を確認するための表示部を、被写体像の表示画面を通常サイズの画面で表示するときには通常サイズの画面内に表示し、被写体像の表示画面を通常サイズの画面よりも縮小サイズの画面で表示するときには縮小サイズの被写体像の表示画面の外側に表示する
ことを特徴とする映像信号記録再生装置。
【請求項３】
前記画像処理手段は、縮小サイズの画面と当該縮小サイズの画面の外側に表示される当該映像信号記録再生装置の設定を確認するための表示部の間にマスクを表示する
ことを特徴とする請求項1または2に記載の映像信号記録再生装置。
【請求項４】
上記表示手段の画面サイズを、通常サイズの画面と、この通常サイズの画面よりも縮小された画面表示とに切り換えるためのスイッチ手段を備えた、
ことを特徴とする請求項1または2に記載の映像信号記録再生装置。
【発明の詳細な説明】
【技術分野】
【０００１】
本発明は、映像信号記録再生装置、より詳しくは、表示手段を備えたビデオカメラ等の映像信号記録再生装置に関する。
【背景技術】
【０００２】
液晶パネル等の表示手段を備えたビデオカメラや電子スチルカメラなどの映像信号記録再生装置は、従来より種々のものが提案されている。
【０００３】
このような映像信号記録再生装置の内で、例えばビデオカメラにおいて大型の液晶パネルを搭載したものは、様々な種類のものが既に市場に出回っていて、こうしたビデオカメラは、再生時に複数の人数でその液晶パネル上の画像を見ることができるというメリットを備えている。
【発明の開示】
【発明が解決しようとする課題】
【０００４】
しかしながら、上記液晶パネルを備えた映像信号記録再生装置では、表示手段にて通常の全画面表示とこの通常の全画面表示よりも縮小された画面表示とで切り換えが行われる際に、縮小された画面表示に設定確認用表示部が表示されると表示画面が見難くなるという問題点がある。
【０００５】
本発明は上記事情に鑑みてなされたものであり、縮小された画面表示で表示画面が見やすい映像信号記録再生装置を提供することを目的としている。
【課題を解決するための手段】
【０００６】
上記の目的を達成するために、本発明の映像信号記録再生装置は、前記表示手段に表示される画像の表示処理をする画像処理手段を備え、前記画像処理手段は、被写体像の表示画面を通常サイズの画面よりも縮小サイズの画面で表示するときには、当該映像信号記録再生装置の設定を確認するための表示部を、当該縮小サイズの被写体像の表示画面の外側に表示する。
【発明の効果】
【０００７】
本発明の映像信号記録再生装置によれば、カメラ設定確認用の表示部を縮小された画面の外側に表示するようにしたので、表示画面を阻害することのない表示を実現することができ、見やすい表示機能を果たすことが可能である。
【発明を実施するための最良の形態】
【０００８】
以下、図面を参照して本発明の実施例を説明する。
【実施例１】
【０００９】
図１から図４は本発明の第１実施例を示したものであり、図１はカメラを背面側から見た外観を示す斜視図である。なお、ここでいうカメラとは、ビデオカメラであっても良いし、電子スチルカメラであっても良い。
【００１０】
この映像信号記録再生装置たるカメラの本体には、画像を表示するための大型の液晶パネルを備えた表示手段たる電子ビューファインダ（図中および以下では、ＥＶＦと略記する。）８が設けられている。
【００１１】
このＥＶＦ８の下側には、カメラ設定を行うための複数のボタンでなるカメラ操作ボタン２３と、カメラの設定や画像以外の記録情報を表示するＬＣＤ２２とが設けられている。
【００１２】
また、該カメラには、情報を記録するための記録媒体として、例えばＩＣメモリカード１５が着脱自在に挿入されるようになっている。
【００１３】
上記ＥＶＦ８には、ファインダアダプタ２６が着脱自在に取り付けられるようになっていて、このファインダアダプタ２６は、図示のように、接眼部２６ａが右下角部に設けられている。これにより、該ファインダアダプタ２６をカメラに取り付けた際にも、眼の位置がカメラの端部に近くなるために観察するときにカメラの他の部分が邪魔になることはない。
【００１４】
このファインダアダプタ２６は、ＥＶＦ８のパネル全面に取り付けられるようになっていて、ファインダロック機能２８により固定され、スイッチ２７を操作することにより脱着されるようになっている。
【００１５】
また、上記ＥＶＦ８の下縁部には第１のスイッチ手段たるファインダアダプタスイッチ２４が設けられていて、このファインダアダプタスイッチ２４は、上記ファインダアダプタ２６が取り付けられているか否かを認識するためのものである。
【００１６】
図２はカメラの主として電気的な構成を示すブロック図である。光学レンズ１を通して入射された被写体光像は、所定の光学特性を得るための光学ローパスフィルタ（図中、光学ＬＰＦと記す。）２を介してＣＣＤ３の撮像面に結像されるようになっている。
【００１７】
被写体光像はこのＣＣＤ３で光電変換されて映像信号として出力され、撮像プロセス回路４に入力されて電気的に信号処理される。
【００１８】
上記撮像プロセス回路４を出力した映像信号は、Ａ／Ｄ変換回路５によってアナログ信号からデジタル信号に変換された後、フレームメモリコントロール回路６で信号処理されて後述する圧縮・伸長回路１３側に出力されるとともに、他方でＤ／Ａ変換回路７により再びアナログ信号に変換される。
【００１９】
このＤ／Ａ変換回路７の出力信号は、ビデオ信号出力端子からビデオ信号として出力され、このビデオ信号出力端子にモニタを接続することにより該モニタで画像を観察することができるようになっている。
【００２０】
上記Ｄ／Ａ変換回路７から出力された映像信号は、他方では上記ＥＶＦ８にも供給されて、大型の液晶パネルを備えたＥＶＦ８に画像を表示するようになっている。
【００２１】
また、上記フレームメモリコントロール回路６の出力は、圧縮・伸長回路１３に入力されて適当なデータ量に圧縮された後、カード・インターフェース１４を介して記録媒体であるＩＣメモリカード１５に記録されるようになっている。
【００２２】
一方、画像データを再生する場合は、上記ＩＣメモリカード１５からカード・インターフェース１４を介して入力された画像データが、圧縮・伸長回路１３により伸長されて、フレームメモリコントロール回路６およびＤ／Ａ変換回路７を介してビデオ信号に変換された後、上記ＥＶＦ８等に出力される。
【００２３】
上記カード・インターフェース１４は、カメラの種々の制御を司る制御手段たるシステムマイコン１６により制御されるようになっていて、このシステムマイコン１６はやはり制御手段を構成するサブマイコン２１に電気的に接続されている。
【００２４】
このサブマイコン２１には、上述のカメラ操作ボタン２３およびファインダアダプタスイッチ２４と、切換スイッチ２５とが電気的に接続されている。
【００２５】
これらからのスイッチ出力は、上記サブマイコン２１に入力され、システムマイコン１６を経由して、上記ＥＶＦ８，カードインターフェイス１４および後述するレンズマイコン１２等の回路系へ指令が出されるようになっている。
【００２６】
上記サブマイコン２１にはＬＣＤ２２が接続されていて、上記カメラ操作ボタン２３，ファインダアダプタスイッチ２４，切換スイッチ２５が操作された際に、その操作状況を表示するようになっている。
【００２７】
さらに、該サブマイコン２１には電源２０が電気的に接続されて制御されるようになっている。
【００２８】
上記システムマイコン１６には、レンズ系の制御を司るレンズマイコン１２が電気的に接続されていて、上記各操作スイッチから指令が入ると、該レンズマイコン１２は、上記サブマイコン２１およびシステムマイコン１６を経由してその指令を受け取り、ＡＦ・ズームモータ９を駆動して、レンズ１のズーム動作あるいはＡＦ動作を行うようになっている。
【００２９】
上記レンズマイコン１２には、ＡＦ・測光ゲートアレイ（図中および以下では、ＡＦ・測光Ｇ／Ａと略記する。）１０および電子ボリューム１１が電気的に接続されていて、これらＡＦ・測光Ｇ／Ａ１０，電子ボリューム１１は、さらに上記撮像プロセス回路４に電気的に接続されている。
【００３０】
すなわち、上記レンズマイコン１２は、ＡＦ動作や露出制御動作を行うために撮像プロセス回路４からＡＦ・測光Ｇ／Ａ１０に映像信号を取り込んで演算処理を行い、レンズ１の駆動制御や上記ＣＣＤ３の蓄積時間の制御などを行うようになっている。
【００３１】
また、上記カメラ操作ボタン２３から入力した指令は、サブマイコン２１，システムマイコン１６を経由してレンズマイコン１２に送られ、さらに、このレンズマイコン１２から電子ボリューム１１を介して撮像プロセス回路４へ送出されて、例えばホワイトバランス等各種定数の設定を行うようになっている。
【００３２】
上記レンズマイコン１２には測光回路１８を介して被写体の明るさを測定する測光センサ１７が電気的に接続されていて、この測光センサ１７の出力は該レンズマイコン１２で処理されるようになっている。
【００３３】
該レンズマイコン１２には、さらにストロボ１９が電気的に接続されていて、同レンズマイコン１２からストロボ設定等の信号が送られるようになっているとともに、発光指令が送られると該ストロボ１９が発光して被写体を照射するようになっている。
【００３４】
次に図３は、上記ＥＶＦ８の詳細を示すブロック図である。この図３について、信号の流れに沿って説明する。
【００３５】
上記Ｄ／Ａ変換回路７（図２参照）によりアナログ信号に変換されて出力された映像信号は、画像処理手段たる信号処理画像変換回路３３に入力されて画像変換される。このときには、システムマイコン１６から該信号処理画像変換回路３３に制御信号が入力されて画像変換を行うようになっている。
【００３６】
この信号処理画像変換回路３３からの出力信号は、ＲＧＢデコーダドライバ３２によってＲＧＢ信号として出力され、液晶パネルであるＬＣＤ３０に入力される。
【００３７】
一方、上記ＲＧＢデコーダドライバ３２からは、タイミングコントロール３１に向けて抽出したシンク信号が送られるようになっていて、該タイミングコントロール３１は、このシンク信号により同期をとって、上記ＬＣＤ３０に水平駆動パルスおよび垂直駆動パルスを供給するようになっている。
【００３８】
また、上記ＬＣＤ３０には、背面側からの照明となるバックライト３４が設けられている。
【００３９】
次に、このような第１実施例の作用を説明する。まず、ＥＶＦ８をそのまま見ながら撮影する通常の状態においては、該ＥＶＦ８には、図４（Ａ）に示すように、通常サイズの画面４１が得られる。
【００４０】
一方、カメラにファインダアダプタ２６を装着すると、ファインダアダプタスイッチ２４がこれを検出して、その信号がサブマイコン２１を経由してシステムマイコン１６に送られ、システムマイコン１６では、画面サイズを電気的に小さくする旨の指示を、ＥＶＦ８の信号処理画像変換回路３３に送る。
【００４１】
この指示を受けた信号処理画像変換回路３３では、画面上のラインを適当に間引くとともにライン上でサンプルホールドして画面を縮小させる処理を行う。
【００４２】
こうして縮小処理された画像信号がＲＧＢデコーダドライバ３２を介してＬＣＤ３０に送られると、図４（Ｂ）に示すような縮小された画面４２が表示される。
【００４３】
こうした画像を縮小する処理により、光学的な倍率を変更するファインダアダプタ２６を装着した場合においても、最適な画面サイズを得ることができる。
【００４４】
また、カメラからファインダアダプタ２６を取り外した場合は、ファインダアダプタスイッチ２４によりこれを検出して、その信号がサブマイコン２１からシステムマイコン１６に送られ、該システムマイコン１６は、信号処理画像変換回路３３へ元の通常画面サイズに戻るように指令を送るようになっている。
【００４５】
このような第１実施例によれば、ファインダアダプタを取り付けることにより、外光による影響を遮断して被写体を捉えやすく見やすい画面になるとともに、ファインダアダプタを液晶パネル面に取り付けた場合には、表示される画面を小さくすることにより、大型液晶パネルを用いた場合でも小型の液晶パネルを備えた電子ビューファインダと同等の機能を自動的に得ることができる。
【００４６】
また、ファインダアダプタを取り付けない場合には、通常サイズのパネル表示に自動的に切り替わるので、複数の人数で画像を同時に見ることができるという大型の液晶パネルの利点を享受することができる。
【実施例２】
【００４７】
図５は本発明の第２実施例を示したものである。この第２実施例において、上述の第１実施例と同様である部分については説明を省略し、主として異なる点についてのみ説明する。
【００４８】
この第２実施例におけるカメラの外観は図１と、電気的構成は図２と、ＥＶＦの構成は図３とそれぞれ同様である。
【００４９】
次に、この第２実施例の作用を説明する。まず、ＥＶＦ８をそのまま見ながら撮影する通常の状態においては、該ＥＶＦ８には、図５（Ａ）に示すように、通常サイズの画面５１が得られる。この通常サイズの画面５１には、カメラの設定を確認するための表示部５４が設けられているとともに、周縁部には映像信号を処理することにより黒を表示するマスク部５３が設けられている。
【００５０】
そして、このマスク部５３には、該ＥＶＦ８の一部を発光してカメラの警告表示等を行うための表示ランプ機能を有するランプ部５２ａ，５２ｂが設けられている。
【００５１】
このランプ部５２ａ，５２ｂは、システムマイコン１６からの指令により信号処理画像変換回路３３によって作成して、ＲＧＢデコーダドライバ３２を介してＬＣＤ３０に送ることにより表示している。
【００５２】
一方、カメラにファインダアダプタ２６を装着すると、ファインダアダプタスイッチ２４がこれを検出して、その信号がサブマイコン２１を経由してシステムマイコン１６に送られ、システムマイコン１６では、画面サイズを電気的に小さくする旨の指示を、ＥＶＦ８の信号処理画像変換回路３３に送る。
【００５３】
この指示を受けた信号処理画像変換回路３３では、画面上のラインを適当に間引くとともにライン上でサンプルホールドして画面を縮小させる処理を行い、このときには上記表示部５４およびランプ部５２ａ，５２ｂも同時に縮小させるように処理する。
【００５４】
なお、このとき、上記ランプ部５２ａ，５２ｂは、被写体像の表示画面に対して通常サイズの画面をそのまま縮小したような位置に表示されるが、表示部５４はその中心位置をほぼ維持したまま縮小されるので、図５（Ｂ）に示すように、被写体像の表示画面の外側に表示されており、上記縮小された表示画面を見難くすることがない。なお、この表示部５４は、被写体像の表示画面の中に表示してもかまわないことはいうまでもない。
【００５５】
こうして縮小処理された画像信号がＬＣＤ３０に送られると、図５（Ｂ）に示すような縮小された画面５５が表示され、このときには画像の周囲の黒いマスク部５３は、図示のように、大きくなり、上述した位置に縮小されたランプ部５２ａ，５２ｂおよび表示部５４が表示される。
【００５６】
また、カメラからファインダアダプタ２６を取り外したときの動作は、上述の第１実施例と同様である。
【００５７】
このような第２実施例によれば、通常はＬＥＤ等を用いて行われることが多い警告表示を、マスク部に備えた表示機能により電気的に処理して行っているために、ファインダアダプタを取り付けない通常サイズの画面のときでも、ファインダアダプタを取り付けて縮小した画面となったときでも、必要な警告表示を行うことができ、ＬＥＤ等が不要となってスペースを有効に用いることができるとともに、コストを削減することができる。
【実施例３】
【００５８】
図６，図７は本発明の第３実施例を示したものであり、図６はカメラを背面側から見た外観を示す斜視図である。この第３実施例において、上述の第１，第２実施例と同様である部分については説明を省略し、主として異なる点についてのみ説明する。
【００５９】
この第３実施例のカメラには、図６に示すように、スイッチ２７の左側近傍に第２のスイッチ手段たる切換スイッチ２５が設けられている。この切換スイッチ２５は、液晶パネルを備えたＥＶＦ８の複数の画面のサイズを任意に切り換えるためのスイッチである。
【００６０】
また、この第２実施例におけるカメラの電気的構成は図２と、ＥＶＦの構成は図３とそれぞれ同様である。
【００６１】
次に、図７を参照して、この第３実施例の作用を説明をする。上記切換スイッチ２５を操作すると、その信号が上記図３に示したサブマイコン２１とシステムマイコン１６を経由してＥＶＦ８の信号処理画像変換回路３３に入力され、この信号処理画像変換回路３３が電気的な処理を行うことにより、該ＥＶＦ８の画面の倍率を変化させる。
【００６２】
すなわち、上記図３に示した信号処理画像変換回路３３は、画面上のラインを適当に間引き、かつライン上でサンプルホールドして画面を縮小させる処理を行うが、上記切換スイッチ２５からの指示により、この画面上のラインを間引く割合およびサンブルホールドする間隔を変化させて、画面サイズを決定する信号処理を行う。
【００６３】
そして、この信号処理画像変換回路３３の出力がＲＧＢデコーダドライバ３２を介してＬＣＤ３０に出力されて、ＥＶＦ８には異なったサイズの種々の画面が表示される。
【００６４】
つまり、例えば、図７（Ａ）に示すような縮小された画面６１，図７（Ｂ）に示すような上記画面６１よりもさらに縮小された画面６２，図７（Ｃ）に示すような上記画面６１よりは大きい縮小された画面６３など、種々の大きさの画面を、上記切換スイッチ２５の操作により任意に切り換えて得ることができる。
【００６５】
このような第３実施例によれば、電子ビューファインダの倍率を、好みに応じて電気的に変化させることができる。また、この倍率の変化は、１つのスイッチで行うことができるために、操作が容易である。さらに、このような電子ビューファインダの倍率を変化させる構成を備えたことにより、異なる倍率のファインダレンズを有する種々のファインダアダプタを取り付けた際も、そのファインダアダプタの倍率に合った最適な画面サイズに調整することができる。
【実施例４】
【００６６】
図８は本発明の第４実施例を示したものであり、カメラを背面側から見た外観を示す斜視図である。この第４実施例において、上述の第１から第３実施例と同様である部分については説明を省略し、主として異なる点についてのみ説明する。
【００６７】
ファインダアダプタ２６には、倍率やその他の機能等が異なるものが複数用意されていて、必要に応じて好みのタイプのファインダアダプタ２６をカメラに取り付けるようになっている。
【００６８】
このとき、カメラには、図８に示すように、ＥＶＦ８の周縁部であるファインダアダプタスイッチ２４の左側近傍に認識手段を構成する検知装置２９ａが設けられ、一方、ファインダアダプタ２６の裏側には、該検知装置２９ａによりファインダアダプタ２６を識別するためのやはり認識手段を構成する認識パターン２９ｂが設けられている。
【００６９】
これにより、カメラに異なるファインダアダプタ２６が取り付けられた場合にも、そのファインダアダプタ２６の倍率に応じて、例えば上記図７（Ａ），（Ｂ），（Ｃ）に示すような種々の画面サイズに、自動的に切り換えることができる。
【００７０】
このような第４実施例によれば、ファインダアダプタを識別するための認識手段を該ファインダアダプタおよびカメラに設けることによって、異なる光学的倍率のファインダアダプタを取り付けた場合にも、自動的に画像変換処理を行って最適な画面サイズに設定することができるために、使い勝手が良くなる。
【００７１】
さらに、認識手段を上記ファインダアダプタおよびカメラの互いに当接する部分に設けているために、ファインダアダプタを取り付けたときには該認識手段が外部に露呈していないために汚れることがなく、この汚れにより誤った認識をすることもない。
【図面の簡単な説明】
【００７２】
【図１】本発明の第１実施例のカメラを背面側から見た外観を示す斜視図。
【図２】上記第１実施例のカメラの主として電気的な構成を示すブロック図。
【図３】上記第１実施例の電子ビューファインダの構成を示すブロック図。
【図４】上記第１実施例の液晶パネルにおける、（Ａ）通常サイズの画面表示，（Ｂ）ファインダアダプタを取り付けたときの縮小サイズの画面表示を示す図。
【図５】本発明の第２実施例の液晶パネルにおける、（Ａ）通常サイズの画面表示，（Ｂ）ファインダアダプタを取り付けたときの縮小サイズの画面表示を示す図。
【図６】本発明の第３実施例のカメラを背面側から見た外観を示す斜視図。
【図７】上記第３実施例のカメラにファインダアダプタを取り付けたときの液晶パネルにおける、（Ａ）縮小サイズの画面表示，（Ｂ）（Ａ）よりもさらに縮小された縮小サイズの画面表示，（Ｃ）（Ａ）よりは大きい縮小サイズの画面表示をそれぞれ示す図。
【図８】本発明の第４実施例のカメラを背面側から見た外観を示す斜視図。
【符号の説明】
【００７３】
８…電子ビューファインダ（ＥＶＦ）（表示手段）、１６…システムマイコン、２１…サブマイコン、２４…ファインダアダプタスイッチ（第１のスイッチ手段）、２５…切換スイッチ（第２のスイッチ手段）、２６…ファインダアダプタ、２９ａ…検知装置（認識手段）、２９ｂ…認識パターン（認識手段）、３３…信号処理画像変換回路（画像処理手段）
【図１】
0003709407.tif 000002
【図２】
0003709407.tif 000003
【図３】
0003709407.tif 000004
【図４】
0003709407.tif 000005
【図５】
0003709407.tif 000006
【図６】
0003709407.tif 000007
【図７】
0003709407.tif 000008
【図８】
0003709407.tif 000009